(57)【要約】      （修正有）【課題】使用時の安定性及び利便性を高める収納ラックを提供する。【解決手段】ラックフレーム１０は、収納空間の両側に位置するサイドフレーム１１、１２、および、サイドフレーム１１、１２に設けられている複数のガイドウェイを有し、ガイドウェイが垂直板面および水平板面を有する断面がＬ字状である一対のフレーム板３１、３２から構成されており、フレーム板３１、３２の垂直板面または水平板面の内側にリブが形成されており、収納空間が複数の前記ガイドウェイにより仕切られている。収納かご２０は、スチール網片により形成されており開口を有する長方体形状の本体部、および、本体部の開口に設けられスチールにより形成されている長方形のかごフレームを有し、かごフレームの少なくとも一辺の幅がガイドウェイの一対のフレーム板間の間隔と一致し、フレーム板の水平板面により支持可能に収納空間に収容されている。【選択図】図２
0003188038.tif 000002
【実用新案登録請求の範囲】
【請求項１】
収納空間を有するラックフレーム及び複数の収納かごを備える収納ラックであって、
前記ラックフレームは、前記収納空間の両側に位置するサイドフレーム、および、当該サイドフレームに設けられている複数のガイドウェイを有し、前記ガイドウェイが垂直板面および水平板面を有する断面がＬ字状である一対のフレーム板から構成されており、前記フレーム板の前記垂直板面および前記水平板面のうち少なくとも一方の内側にリブが形成されており、前記収納空間が複数の前記ガイドウェイにより仕切られており、
前記収納かごは、スチール網片により形成されており開口を有する長方体形状の本体部、および、前記本体部の前記開口に設けられておりスチールにより形成されている長方形のかごフレームを有し、前記かごフレームの少なくとも一辺の幅が前記ガイドウェイの一対の前記フレーム板間の間隔と一致し、前記フレーム板の前記水平板面によって支持可能に前記収納空間に収容されていることを特徴とする収納ラック。
【請求項２】
前記ガイドウェイの前記フレーム板の前記垂直板面および前記水平板面の両方に前記リブが設置されており、前記リブが内側に突起した型態を呈することを特徴とする請求項１に記載の収納ラック。
【請求項３】
前記ガイドウェイの前記フレーム板の前記垂直板面または前記水平板面に前記リブが設置されていることを特徴とする請求項１に記載の収納ラック。
【請求項４】
前記収納かごのスライド方向の一方の面に、取っ手が設けられていることを特徴とする請求項１に記載の収納ラック。
【請求項５】
前記収納かごの前記スライド方向および鉛直方向と直交する方向の両側の面が、前記フレーム板に接触する垂直板面であることを特徴とする請求項１に記載の収納ラック。
【請求項６】
前記ラックフレームの底部に、キャスタが設置されていることを特徴とする請求項１に記載の収納ラック。
【請求項７】
前記ラックフレームの前記スライド方向の一端に、縦向きのストッパが設置されており、
前記ストッパは、前記収納かごのはめ込み位置を限定することを特徴とする請求項１に記載の収納ラック。
【考案の詳細な説明】
【技術分野】
【０００１】
本考案は、収納ラックに関する。
【背景技術】
【０００２】
従来の収納ラックまたはキャスタ付きラックは、コストを低く抑えるために、通常プラスチック材質により形成されている。プラスチック材質を利用して形成されたラックフレームを用いて、複数の独立した収納空間を区切ることで、プラスチックの引き出し箱または収納かごがはめ込まれるようにする。ラックフレームは引き出し時のガイドウェイとしての役目を果たして、物品が収納されている前記引き出し箱または収納かごを支持する。
【０００３】
しかしながら、上述の収納ラックまたはキャスタ付きラックは、そのラックフレーム両側の、内側に向かって設置された支え板が引き出しまたは収納かごを支え、位置を限定し、引き出しや押し入れの際のガイドウェイとなるだけで、それ自身には何ら適切な補強作用が施されていない上、プラスチック材質の重量負荷の度合いが低いため、物品が収納されていない時は、適度な位置に限定されてスムーズな開け閉めが可能であるものの、引き出し箱または収納かごに多くの物品が収納された場合、引き出し箱または収納かごが変形するだけでなく、同時に、その両側の支え板も収納された物品の重量を受けて変形して破損する。さらには、引き出し箱または収納かご全体が脱落して落下したりする可能性もある。
【０００４】
上記の問題を解決するため、金属製のラックフレームとかごとが組み合わせた収納ラックが開示されている。これは、かごの最上縁に結合成形されたフレーム辺をラックフレームに設置された複数のコ字型のガイドウェイ内にはめ込んで、かごを吊る方式で支えて位置を限定する方式である。かごは、引き出しや押し入れの往復によって物品を取り出すため、そのラックフレーム及びかごが、いずれも金属材質によって製成されることで、その構造の強度は従来のプラスチック製品より良い。大きい重量負荷に耐え得るため、実用性及び使用寿命の面で明らかに従来のプラスチック製品より優れている。
【０００５】
しかしながら、図１に示したように、前述の金属のかご１は、その最上縁のフレーム縁２とラックフレーム３のコ字型ガイドウェイ４によって吊るす形式のはめ込み形態で結合することにより、そのかご１の下部は、何ら支えるものがない。金属材質は、収納物品の比較的大きい耐重量負荷を付与するものの、収納する物品が一定の重量を超えると、その物品の重量がかご１最上縁のフレーム縁２に対して明らかに下に引っ張る力が働き、一定の時間が経過すると、引っ張る力の作用と金属疲労の二重の作用により、容易にかご１のフレーム縁２が変形して、ガイドウェイ４から脱落するおそれがある。同時に、そのラックフレーム３のコ字型ガイドウェイ４もまたその重量負荷に耐えられなくなり、変形破損する問題が発生し、かご１が脱落して落下するという状況を招く可能性がある。
【考案の概要】
【考案が解決しようとする課題】
【０００６】
したがって、本考案は、使用時の安定性及び利便性を高める収納ラックを提供することを目的とする。
【課題を解決するための手段】
【０００７】
本考案による収納ラックは、収納空間を有するラックフレーム及び複数の収納かごを備える。
ラックフレームは、収納空間の両側に位置するサイドフレーム、および、サイドフレームに設けられている複数のガイドウェイを有し、ガイドウェイが垂直板面および水平板面を有する断面がＬ字状である一対のフレーム板から構成されており、フレーム板の垂直板面または水平板面の内側にリブが形成されており、収納空間が複数の前記ガイドウェイにより仕切られている。
収納かごは、スチール網片により形成されており開口を有する長方体形状の本体部、および、本体部の開口に設けられておりスチールにより形成されている長方形のかごフレームを有し、かごフレームの少なくとも一辺の幅がガイドウェイの一対のフレーム板間の間隔と一致し、フレーム板の水平板面によって支持可能に収納空間に収容されている。
【０００８】
本考案の収納ラックは、その収納かごがラックフレームの組立構造に直接はめ込まれていることで、下方を安定して支える効果を有し、収納時の耐重量負荷を大幅に高めることができる。
【０００９】
本考案の収納ラックは、収納かごがガイドウェイにおいて引き出しや押し入れの動作が往復して行われる過程で、摩擦接触面及び騒音を大幅に減少させることで、操作上のスムーズさ及び静かさを高めることができる。
【００１０】
本考案の収納ラックは、必要に応じて、収納ラックフレームの段数を調節し、キャスタを追加設置することが可能である。
【００１１】
本考案の収納ラックは、ラックフレームの両側のフレーム間に、所定の数量のガイドウェイが設置されている。各ガイドウェイは、それぞれ垂直板面と水平板面を有する断面がＬ字型であるフレーム板から組成される。各フレーム板の垂直板面と水平板面の内側にはリブが形成されている。複数のガイドウェイを利用して、ラックフレームを所定の数量の収納空間に仕切ることができる。各収納空間には、スチール網片によって製成されたかごがはめ込まれている。ガイドウェイのフレーム板がかごの下方を支持し、位置を限定する作用を有し、かごを引き出したり、押し入れたりする際の導入作用を有する。各側板面の内側にリブが設置されていることで、その構造面の強度を高めて、かごに大きな耐負荷能力を付与する。フレーム板とかごの接触面積を減少させ、摩擦及び騒音を抑制する効果を達成する。
【００１２】
本考案の収納ラックは、そのかごがラックフレームの所定の間隔の収納空間にはめ込まれる際に支持位置を限定し、引き出したり、押し入れたりする時のガイドウェイとなるように設計されている。ラックフレームの収納空間のガイドウェイのフレーム板内側にリブを設けることで、構造を補強し、かごの耐重量能力を高め、引き出しおよび押し入れの際の摩擦及び騒音を減少し、使用時の安定性及び利便性を高める。
【図面の簡単な説明】
【００１３】
【図１】従来の収納ラック示す模式図である。
【図２】本考案の一実施形態による収納ラックを示す斜視図である。
【図３】本考案の一実施形態による収納ラックを示す分解斜視図である。
【図４】本考案の一実施形態による収納ラックを示す要部拡大図である。
【図５】本考案の一実施形態による収納ラックを示す要部拡大図である。
【図６】本考案の一実施形態による収納ラックが力を受ける状態を示す模式図である。
【図７】本考案の他の実施形態による収納ラックを示す斜視図である。
【図８】本考案の他の実施形態による収納ラックを示す斜視図である。
【考案を実施するための形態】
【００１４】
（一実施形態）
以下に、図２〜６を参照しながら、本考案の一実施形態を詳しく説明する。
【００１５】
ラックフレーム１０は、二個のサイドフレーム１１、１２、上段に近い網板１３、フレーム縁１４、及び、下段の前後部に設けられている横向きの連結パイプ１５を有する。上段の網板１３と下段の横向きの連結パイプ１５との間には収納空間を有する。且つ、収納空間内のラックフレーム１０の両側のサイドフレーム１１、１２の間には、所定の数量のガイドウェイが設置されている。各ガイドウェイは、それぞれ垂直板面３３と水平板面３４を有する断面がＬ字状である一対のフレーム板３１、３２から組成され、各フレーム板３１、３２の垂直板面３３と水平板面３４の内側にはリブ３５、３６が形成されている。複数のガイドウェイによってラックフレーム１０は所定の段数の収納棚が形成される。各段の収納棚内には、それぞれ収納かご２０が一個はめ込まれている。また、上段網板１３の後部フレーム縁１４と下段後側の連結パイプ１５の間には、縦向きのストッパ１６が設置されている。ストッパ１６は、収納かご２０のはめ込み位置を固定する。さらに、必要に応じて、ラックフレーム１０底部にキャスタ１７が追加設置されている。
【００１６】
複数段の収納かご２０は、スチール網片２１をプレス加工と溶接加工することによって形成されている。その最上部の周辺面には、スチールのかごフレーム２２が形成されている、収納かご２０の幅は、前述のガイドウェイの二個のフレーム板３１、３２の間の間隔と一致するため、収納かご２０がラックフレーム１０の各段の収納間隔内に収まる。両側のフレーム板３１、３２の水平板面３４によって、収納かご２０の底部を支える。同時に、収納かご２０の両側面が、両側フレーム板３１、３２の垂直板面３３にやや接触することで、適度な位置限定効果を有する。よって、引き出す際に揺れたり、ぶれたりするのを回避する。また、それぞれの収納かご２０の前側面に、持ちやすい取っ手２３が設置されて、その引き出し操作を便利にする。
【００１７】
上述の構成により、収納かご２０自身が、金属材質によって製成されるため、好適な強度を有する。また、ラックフレーム１０のガイドウェイのフレーム板３１、３２が水平板面３４を介して収納かご２０を支持する。さらに、その両側フレーム板３１、３２の垂直板面３３及び水平板面３４にリブ３５、３６が形成されることで補強される。したがって、耐負荷能力が明らかに向上する。収納かご（２０）の両側が下方向に変形することをよくすることができる。したがって、収納かご２０の変形により、脱落するのを抑制することができる（図６参照）。また、リブ３５３６が設置されていることで、収納かご２０とフレーム板３１、３２との接触面積が減少し、収納かご２０の引き出し動作の省力性およびスムーズさを向上し、その摩擦による騒音を減少することができる。
【００１８】
（他の実施形態）
また、前述の収納ラックの構造形態の外、本考案は、必要に応じて、そのラックフレーム１０の高度及び収納かご２０の段数を調節して、デスクに置いて使用するのに適した収納ラック（図７参照）となることができる。この時、ラックフレーム１０の底部のキャスタは省略される、あるいは、必要に応じて、そのラックフレーム１０の高度を高め、収納かご２０の収納空間をラックフレーム１０の上半部に設置することで、物品を収納及び取り出す際に、膝を曲げる必要がなく、楽に使用することが可能にする（図８参照）。
【００１９】
以上の説明からわかるように、本考案の収納ラックは、ラックフレームのフレーム板に設けられたガイドウェイが収納ラックの下方を支持し、その位置を限定すること、また、フレーム板の内側のリブ及び収納ラックの材質により、物品収納の耐負荷能力を大幅に高め、変形および脱落を抑制することができる。同時に、収納ラックの引き出し操作のスムーズさ及び安定性を向上し、騒音の発生を抑制する。さらに、必要に応じて、多様なサイズまたは形態の製品の生産を可能とし、実用性及び利便性を高めることができる。
【００２０】
このように、本考案の収納ラックは、収納時の耐負荷能力を高めると同時に、収納ラックの引き出し操作の安定性およびスムーズさを高め、騒音を抑えることが可能である。したがって、従来のプラスチック製品の問題および欠点を改善し、実用性が高い。
【符号の説明】
【００２１】
１０    ラックフレーム、
１１、１２    サイドフレーム、
１３    網板、
１４    フレーム縁、
１５    連結パイプ、
１６    ストッパ、
１７    キャスタ、
２０    収納かご、
２１    スチール網片、
２２    かごフレーム、
２３    取っ手、
３１、３２    フレーム板、
３３    垂直板面、
３４    水平板面、
３５、３６    リブ。
【図１】
0003188038.tif 000003
【図２】
0003188038.tif 000004
【図３】
0003188038.tif 000005
【図４】
0003188038.tif 000006
【図５】
0003188038.tif 000007
【図６】
0003188038.tif 000008
【図７】
0003188038.tif 000009
【図８】
0003188038.tif 000010